(57)【特許請求の範囲】
【請求項１】
脂肪族および／または脂環式ジイソシアネートから製造され；
ａ）  少なくとも２.０の平均イソシアネート官能価、
ｂ）  ４.０〜２８.０重量％のイソシアネート基の含有量（ＮＣＯ；分子量＝４２として算出）、および
ｃ）  ２.０〜３７.５重量％の、最高３６個の炭素原子を有するアルコキシ基の含有量、
を有する；
ポリイソシアネート混合物であって、
アルコキシ基が、アロファネート基または必要によりウレタン基の構成成分であり、但し、アルコキシ基の＞５０モル％が、少なくとも２種類のジイソシアネートからそれぞれ製造される少なくとも２種類のポリイソシアネート分子に結合しているアロファネート基の構成成分であることを条件とする、ポリイソシアネート混合物であり、
Ａ）  ２.０〜５.０の平均ＮＣＯ官能価、８.０〜２７.０重量％の脂肪族性および／または脂環式性結合イソシアネート基の含有量（ＮＣＯ；分子量＝４２として算出）、および１重量％未満のモノマージイソシアネートの含有量、を有するポリイソシアネート成分であって、少なくとも２種類のジイソシアネート分子から構成され、モノマー性脂肪族および／または脂環式ジイソシアネートを変性してウレトジオン、イソシアヌレート、アロファネート、ビウレット、イミノオキサジアジンジオンおよび／またはオキサジアジントリオン基を組み込むことによって製造されるポリイソシアネートから選択されるポリイソシアネート成分；および
Ｂ）  最高３６個の炭素原子を有する（シクロ）脂肪族アルコール；をＮＣＯ／ＯＨ反応によって形成されるウレタン基の＞５０％がアロファネート基に変換されるように、１.９：１〜８０：１のＮＣＯ／ＯＨ当量比において反応させることによって得られることを特徴とする、
ポリイソシアネート混合物。
【請求項２】
該ポリイソシアネート分子が、イソシアヌレートおよび／またはイミノオキサジアジンジオン基を有する、請求項１に記載のポリイソシアネート混合物。
【請求項３】
アルコキシ基の少なくとも８０モル％がアロファネート基の構成成分である、請求項１に記載のポリイソシアネート混合物。
【請求項４】
アルコキシ基の少なくとも８０モル％がアロファネート基の構成成分である、請求項２に記載のポリイソシアネート混合物。
【請求項５】
ａ）  少なくとも２.０の平均イソシアネート官能価、
ｂ）  ４.０〜２８.０重量％のイソシアネート基の含有量（ＮＣＯ；分子量＝４２として算出）、および
ｃ）  ２.０〜３７.５重量％の、最高３６個の炭素原子を有するアルコキシ基の含有量、
を有する；
ポリイソシアネート混合物の製造方法であって、該方法が、
Ａ）  ２.０〜５.０の平均ＮＣＯ官能価、８.０〜２７.０重量％の脂肪族性および／または脂環式性結合イソシアネート基の含有量（ＮＣＯ；分子量＝４２として算出）、および１重量％未満のモノマージイソシアネートの含有量、を有するポリイソシアネート成分であって、少なくとも２種類のジイソシアネート分子から構成され、モノマー性脂肪族および／または脂環式ジイソシアネートを変性してウレトジオン、イソシアヌレート、アロファネート、ビウレット、イミノオキサジアジンジオンおよび／またはオキサジアジントリオン基を組み込むことによって製造されるポリイソシアネートから選択されるポリイソシアネート成分；および
Ｂ）  最高３６個の炭素原子を有する（シクロ）脂肪族アルコール；をＮＣＯ／ＯＨ反応によって形成されるウレタン基の＞５０％がアロファネート基に変換されるように、１.９：１〜８０：１のＮＣＯ／ＯＨ当量比において反応させることを含んで成る方法。
【請求項６】
架橋剤としての請求項１に記載のポリイソシアネート混合物、およびイソシアネート反応性基を有するラッカー結合剤またはラッカー結合剤成分を含んで成る被覆組成物。
【請求項７】
架橋剤としての請求項１に記載のポリイソシアネート混合物、およびヒドロキシ官能性ラッカー結合剤またはラッカー結合剤成分を含んで成る２成分ポリウレタン被覆組成物。
【発明の詳細な説明】
【０００１】
【発明の属する技術分野】
本発明は、非極性溶媒に溶解性のポリイソシアネート混合物、それの製造方法、ならびに、非極性溶媒に高稀釈性のポリウレタンプラスチックの製造のための出発成分、特に、イソシアネート反応性基を有するラッカー結合剤および／または結合剤成分の架橋剤としての使用に関する。
【０００２】
【従来の技術】
脂肪族性または脂環式性結合イソシアネート基を有するポリイソシアネートは、自動車塗料または建設分野のような多くの分野において、高品質の非黄変２成分（２Ｋ）ポリウレタン（ＰＵ）被覆組成物（coating compositions）として使用することができる。それらの比較的高い粘性により、これらの（いわゆる耐光堅牢性）ラッカーポリイソシアネートは一般に、溶媒に稀釈した形態で使用される。
【０００３】
ラッカーおよび塗料からの毒物学的または環境的に問題のある溶媒の放出を減少させることが要請される故に、代替製品、例えば、ミネラルスピリットまたはターペンタインのような、非極性の環境的適合性溶媒によって、これらの溶媒を置き換える努力が最近なされている。それらが既知の脂肪族または脂環式ポリイソシアネート架橋剤と充分に相溶性でない故に、これらの非極性溶媒で２Ｋ ＰＵ被覆組成物を稀釈することがこれまでのところ可能でない。
【０００４】
ビウレット、イソシアヌレートおよび／またはウレトジオン基を有する脂肪族または脂環式ポリイソシアネートは、ヘキサメチレンジイソシアネート（ＨＤＩ）および／または４,４'−ジイソシアナトジシクロヘキシルメタンのような商業的に入手可能なジイソシアネートから製造され、耐光堅牢性ポリウレタン塗料の製造に特に重要であり、それらは全て非極性溶媒に僅かに溶解性であるにすぎない。
【０００５】
これ対して、アロファネート変性ポリイソシアヌレートは、非極性溶媒にかなり高い溶解性を有する。これらのポリイソシアヌレートは、ＥＰ−Ａ２３８０１３号、ＥＰ−Ａ４９６２０８号、ＥＰ−Ａ５２４５００号、ＥＰ−Ａ５２４５０１号、ＥＰ−Ａ５６６０３７号、ＵＳ４７８９７０５号、ＵＳ５０８６１７５号、ＵＳ５２５８４８２号、ＵＳ５２９０９０２号、ＵＳ５３８０７９２号、ＪＰ０４０３６２１８Ａ号、ＪＰ０４１３０１２４Ａ号、ＪＰ０４１３０１７１Ａ号、ＪＰ６１０７２０１３Ａ号、またはＪＰ９０１２６６０Ａ号によって、三量化触媒の存在下において脂肪族および／または脂環式ジイソシアネートを線状または分岐脂肪族または脂環式モノアルコールまたはジオールと反応させることによって得られる。しかし、そのようなアロファネート三量体をモノマージイソシアネートから製造する場合に、予測できない潜伏期後に、反応が発熱性になる。回分法を使用する場合に、反応の結果として発生する熱を放散させる必要があり、これは必ずしも容易ではない。さらに、特にモノアルコールに基づく、前記公表物に記載されているアロファネート変性ポリイソシアヌレートは、対応する未変性ポリイソシアヌレートより顕著に低い耐溶媒性および耐薬品性を有する塗料を生じる。
【０００６】
例えば、ＥＰ−Ａ８０７６２３号に開示されている純粋アロファネートポリイソシアネートまたはいわゆるヘテロアロファネートも、非極性溶媒に良好な溶解性を有する。しかし、これらの製品も、わずかな抵抗特性を有する塗料を与え、従って、高品質の被覆組成物の架橋成分として充分に適してはいない。ジ−またはポリイソシアネートおよび長鎖モノアルコールまたはダイマージオールから製造されるウレタンに関しても、それらが炭化水素と良好な相溶性を示すことがＵＳ５０８６１７５号、ＪＰ０４１３２７８２Ａ号、ＪＰ０４２３０６５１Ａ号、およびＪＰ０７２６８０５９Ａ号によって開示されているにもかかわらず、同様のことが言える。
【０００７】
親油性残基を有する特殊ジイソシアネートのトリマー、例えば、脂環式環に結合した長鎖脂肪族残基を有する脂環式ジイソシアネート（ＥＰ−Ａ８１８４８５号）、分岐した線状脂肪族ジイソシアネート（ＤＥ−Ａ３１５１８５５号）、または１１〜２０個の炭素原子を有する飽和脂肪族または脂環式ジイソシアネート（ＪＰ０３２４４６２３Ａ）も、非極性溶媒で稀釈できるポリイソシアネート架橋剤として提案されている。しかし、これらの特殊ジイソシアネートは大きい工業的規模で製造することができず、従って、コストが高い。
【０００８】
ＤＥ−Ａ３６１３０６４号、ＵＳ３３０４２８６号、およびＪＰ０２３０２４７９Ａ号は、ポリイソシアネートおよびポリオールから製造され、非極性溶媒に容易溶解性のイソシアネート官能性プレポリマーを開示している。これらの製品は、低含有量の遊離イソシアネート基および低い官能価を有するにすぎないことが多い。従って、それらは、２Ｋ ＰＵ系の架橋成分としてはあまり適していないが、湿分硬化一成分系における単一結合剤として使用するのは好ましい。
【０００９】
非極性溶媒に良好な溶解性を示し、全ての特性条件を満たし、即ち、特に、耐溶媒性および耐薬品性の高架橋被覆を与え、簡単で低コストな方法で得ることができる、耐光堅牢性ポリイソシアネートは知られていない。
【００１０】
【発明が解決しようとする課題】
本発明の目的は、先行技術の欠点を有さない、脂肪族性および／または脂環式性結合イソシアネート基を有する新規ポリイソシアネート混合物を提供することである。
【００１１】
【課題を解決するための手段】
この目的は、それらの製造方法と一緒に下記に詳細に説明される本発明のポリイソシアネート混合物によって達成される。アロファネート化条件において低モノマー含有量を有する脂肪族および／または脂環式ポリイソシアネートをアルコールと反応させることによって、低温においてさえ非極性溶媒に容易溶解性の、ヒドロキシ官能性ラッカー結合剤との組み合わせにおいて優れた抵抗特性を特徴とする被覆を与える高官能性ポリイソシアネート混合物を製造し得る、という驚くべき観察に本発明のポリイソシアネート混合物は基づいている。
【００１２】
アロファネート基を有するポリイソシアネートの製造に関係するいくつかの公表物、例えば、ＥＰ−Ａ０００１９４号、ＥＰ−Ａ３０３１５０号、およびＥＰ−Ａ６８２０１２号は、多くの好適な出発ポリイソシアネートに包含されるものとして、ＨＤＩまたはＩＰＤＩの三量化生成物のような、＞２の官能価を有するポリイソシアネートについて一般的に記載しているが、アロファネート化条件における低モノマー含有量を有するポリイソシアネートとアルコールとの反応生成物が、非極性溶媒において特に良好な溶解特性を有することを、前記公表物は示唆も提案もしていない。
【００１３】
本発明は、脂肪族および／または脂環式ジイソシアネートから製造され；
ａ）  少なくとも２.０の平均イソシアネート官能価、
ｂ）  ４.０〜２８.０重量％のイソシアネート基の含有量（ＮＣＯ；分子量＝４２として算出）、および
ｃ）  ２.０〜３７.５重量％の、最高３６個の炭素原子を有するアルコキシ基の含有量、
を有する；ポリイソシアネート混合物であって、
アルコキシ基が、アロファネート基または必要によりウレタン基の構成成分であり、但し、アルコキシ基の＞５０モル％が、少なくとも２種類のジイソシアネートからそれぞれ製造される少なくとも２種類のポリイソシアネート分子に結合しているアロファネート基の構成成分であることを条件とする、ポリイソシアネート混合物に関する。
【００１４】
本発明はさらに、
Ａ）  ２.０〜５.０の平均ＮＣＯ官能価、８.０〜２７.０重量％の脂肪族性および／または脂環式性結合イソシアネート基の含有量（ＮＣＯ；分子量＝４２として算出）、および１重量％未満のモノマージイソシアネート含有量、を有するポリイソシアネート成分；および
Ｂ）  最高３６個の炭素原子を有する（環状）脂肪族アルコール；をＮＣＯ／ＯＨ反応によって形成されるウレタン基の＞５０％がアロファネート基に変換されるように、１.９：１〜８０：１のＮＣＯ／ＯＨ当量比で反応させることによって、これらのポリイソシアネート混合物を製造する方法にも関する。
【００１５】
本発明はさらに、非極性溶媒で高度に稀釈されているかまたは稀釈することができ、ならびに、これらのポリイソシアネート混合物およびイソシアネート反応性基を要すれば有するラッカー結合剤または結合剤成分を含有する、被覆組成物にも関する。
【００１６】
ポリイソシアネート成分Ａ）は、２.０〜５.０、好ましくは２.３〜４.５の平均ＮＣＯ官能価；８.０〜２７.０重量％、好ましくは１４.０〜２４.０重量％のイソシアネート基含有量；および１.０重量％未満、好ましくは０.５重量％未満、より好ましくは０.０００１〜０.５重量％のモノマージイソシアネート含有量を有する。成分Ａ）は脂肪族性および／または脂環式性結合イソシアネート基を有する１種類またはそれ以上の有機ポリイソシアネートを含有する。
【００１７】
ポリイソシアネート成分Ａ）は、少なくとも２種類のジイソシアネート分子から構成され、モノマー性脂肪族および／または脂環式ジイソシアネートを変性してウレトジオン、イソシアヌレート、アロファネート、ビウレット、イミノオキサジアジンジオンおよび／またはオキサジアジントリオン基を組み込むことによって製造される、好ましいポリイソシアネートから選択される。それらの製造が、例えば、J. Prakt. Chem.336(1994)185-200、ＤＥ−Ａ１６７０６６６号、ＤＥ−Ａ１９５４０９３号、ＤＥ−Ａ２４５２５３２号、ＤＥ−Ａ３７００２０９号、およびＤＥ−Ａ３９０００５３号、またはＥＰ−Ａ３３６２０５号、ＥＰ−Ａ３３９３９６号、およびＥＰ−Ａ７９８２９９号に開示されている。
【００１８】
ポリイソシアネートＡ）を製造するのに好適なジイソシアネートは、１４０〜４００の分子量を有し、脂肪族性および／または脂環式性結合イソシアネート基を有するジイソシアネートである。そのようなジイソシアネートの例は、１,４−ジイソシアナトブタン、１,６−ジイソシアナトヘキサン（ＨＤＩ）、２−メチル−１,５−ジイソシアナトペンタン、１,５−ジイソシアナト−２,２−ジメチルペンタン、２,２,４−または２,４,４−トリメチル−１,６−ジイソシアナトヘキサン、１,１０−ジイソシアナトデカン、２,４−または２,６−ジイソシアナト−１−メチルシクロヘキサン、１,３−および１,４−ジイソシアナトヘキサン、１,３−および１,４−ビス（イソシアナトメチル）−シクロヘキサン、１−イソシアナト−３,３,５−トリメチル−５−イソシアナトメチル−シクロヘキサン（イソホロンジイソシアネートまたはＩＰＤＩ）、４,４'−ジイソシアナトジシクロヘキシルメタン、１−イソシアナト−１−メチル−４（３）イソシアナトメチルシクロヘキサン、ビス（イソシアナト−メチル）ノルボルナン、およびそれらの混合物である。
【００１９】
好ましい出発成分Ａ）は、イソシアヌレートおよび／またはイミノオキサジアジンジオン基を有し、ＨＤＩ、ＩＰＤＩ、および／または４,４'−ジイソシアナトジシクロヘキシルメタンから製造されるポリイソシアネート混合物である。
【００２０】
成分Ｂ）は、飽和または不飽和の直鎖または分岐鎖アルコールから選択される。そのようなアルコールの例は、１〜３６個、好ましくは１〜２３個の炭素原子を有するモノアルコール、例えば、メタノール、エタノール、ｎ−プロパノール、イソプロパノール、ｎ−ブタノール、イソブタノール、ｔ−ブタノール、ｎ−ペンタノール、２−ヒドロキシペンタン、３−ヒドロキシペンタン、メチルブチルアルコール異性体、ジメチルプロピルアルコール異性体、ｎ−ヘキサノール、ｎ−ヘプタノール、ｎ−オクタノール、ｎ−ノナノール、２−エチルヘキサノール、トリメチルヘキサノール、ｎ−デカノール、ｎ−ウンデカノール、ｎ−ドデカノール（ラウリルアルコール）、ｎ−テトラデカノール、ｎ−ペンタデカノール、ｎ−ヘキサデカノール、ｎ−ヘプタデカノール、ｎ−オクタデカノール（ステアリルアルコール）、２,６,８−トリメチルノナノール、２−ｔ−ブチルシクロヘキサノール、４−シクロヘキシル−１−ブタノール、およびHenkel AGによってLorolの商品名で市販されている直鎖または分岐鎖第一級アルコールである。
【００２１】
さらに、ｎ〜３６個、好ましくはｎ〜２３個（ｎ＝アルコールのＯＨ官能価）の炭素原子を有するジアルコールおよび／または高官能価アルコール、例えば、１,２−エタンジオール、１,２−および１,３−プロパンジオール、１,２−および１,４−シクロヘキサンジオール、１,４−シクロヘキサンジメタノール、４,４'−（１−メチルエチリデン）ビスシクロヘキサノール、異性体のブタンジオール、ペンタンジオール、ヘキサンジオール、ヘプタンジオール、オクタンジオール、ノナンジオール、デカンジオール、およびウンデカンジオール；高分子量ジオール、例えば、１,１２−オクタデカンジオール；および高官能価アルコール、例えば、１,２,３−プロパントリオール、１,１,１−トリメチロールエタン、１,２,６−ヘキサントリオール、１,１,１−トリメチロールプロパン、２,２−ビス（ヒドロキシメチル）−１,３−プロパンジオール、および１,３,５−トリス（２−ヒドロキシエチル）イソシアヌレートも、成分Ｂ）として好適である。
【００２２】
本発明にあまり好ましくない他の使用し得るアルコールＢ）は、ヒドロキシル基に加えて、イソシアネート基に対して非反応性の他の官能基、例えば、エステル基、エーテル基、および他のヘテロ原子、例えば、ハロゲン原子、珪素、または窒素を有するアルコールである。
【００２３】
好ましい成分Ｂ）は、モノアルコールおよびこれらのモノアルコールとジアルコールおよび／または高官能価アルコールとの混合物である。
【００２４】
本発明の方法は、ＮＣＯ／ＯＨ反応によって初めに形成されるウレタン基の＞５０モル％、好ましくは少なくとも８０モル％、より好ましくは少なくとも９０モル％がさらに反応してアロファネート基を形成するように、出発成分Ａ）およびＢ）を、４０℃〜１８０℃、好ましくは５０℃〜１５０℃の温度において、１.９：１〜８０：１、好ましくは２：１〜５０：１のＮＣ／ＯＨ当量比で反応させることによって行われる。
【００２５】
アロファネート化反応は、好適な触媒、例えば、既知のアロファネート化触媒を要すれば使用することによって、促進することができる。触媒の例は、英国特許第９９４８９０号に開示されているような金属カルボキシレート、金属キレート、および第三級アミン；米国特許第３７６９３１８号に開示されているようなアルキル化剤；および、ＥＰ−Ａ０００１９４号に開示されているような強酸である。
【００２６】
好適なアロファネート化触媒は、金属化合物、例えば、亜鉛化合物（例えば、亜鉛（ＩＩ）ステアレート、亜鉛（ＩＩ）ｎ−オクタノエート、亜鉛（ＩＩ）２−エチル−１−ヘキサノエート、亜鉛（ＩＩ）ナフテネート、および亜鉛（ＩＩ）アセチルアセトネート）、錫化合物（例えば、錫（ＩＩ）ｎ−オクタノエート、錫（ＩＩ）２−エチル−１−ヘキサノエート、錫（ＩＩ）ラウレート、ジブチル錫オキシド、ジブチル錫ジクロリド、ジブチル錫ジアセテート、ジブチル錫ジラウレート、ジブチル錫ジマレエート、およびジオクチル錫ジアセテート）、アルミニウムトリ（エチルアセトアセテート）、鉄（ＩＩＩ）クロリド、カリウムオクトエート、ビスマス、マグネシウム、コバルト、またはニッケルと強酸、例えば、トリフルオロ酢酸、硫酸、塩化水素、臭化水素、燐酸または過塩素酸との化合物、およびこれらの触媒の混合物である。
【００２７】
本発明にあまり好ましくないが、使用し得る触媒は、アロファネート化反応だけを触媒するのではなく、イソシアネート基の三量化も触媒してイソシアヌレート構造を形成する化合物も包含する。これらの触媒の例が、例えば、ＥＰ−Ａ６４９８６６号、第４頁、第７行〜第５頁、第１５行に開示されている。
【００２８】
本発明の方法に好ましい触媒は、亜鉛（ＩＩ）化合物および／またはビスマス（ＩＩＩ）化合物である。特に好ましい触媒は、亜鉛（ＩＩ）ｎ−オクタノエート、亜鉛（ＩＩ）２−エチル−１−ヘキサノエート、亜鉛（ＩＩ）ステアレート、および／またはビスマス（ＩＩＩ）２−エチル−１−ヘキサノエートである。
【００２９】
触媒は、反応物の全重量に基づいて０.００１〜５.０重量％、好ましくは０.００５〜１.０重量％の量で、本発明の方法に要すれば使用される。
【００３０】
触媒は、どのような好ましい方法によっても反応混合物に添加することができる。例えば、実際の反応が開始する前に、任意の触媒を、ポリイソシアネート成分Ａ）および／またはアルコール成分Ｂ）に組み込むことができる。ウレタン化反応の間の好ましい時点において、あるいは、２段階反応の場合は、ウレタン化の後、即ち、イソシアネートおよびヒドロキシル基のウレタン基への完全な変換に理論的に相当するＮＣＯ含有量に到達した際に、触媒を反応混合物に添加することもできる。ウレタン化反応において、初めに、ポリイソシアネート成分Ａ）の１種類またはそれ以上の構成成分を、アルコールＢ）と反応させ、次に、ウレタン化の後に、触媒をポリイソシアネート成分Ａ）の残りの構成成分と一緒に添加することもできる。
【００３１】
反応の進行を、例えば、ＮＣＯ含有量の滴定によって、監視することができる。所望のＮＣＯ含有量に到達した際、即ち、反応混合物におけるアロファネート基／ウレタン基のモル比が＞１：１、好ましくは少なくとも４：１、より好ましくは少なくとも９：１になった際に、反応を停止させる。反応が熱によってだけ制御される場合は、例えば、反応混合物を室温に冷却することによってこれを行うことができる。アロファネート化触媒を使用するのが好ましい場合は、好適な触媒毒、例えば、塩化ベンゾイルまたは二塩化イソフタロイルのような酸塩化物を添加することによって、反応を停止させることができる。しかし、そのような停止は、本発明の方法に不可欠ではない。
【００３２】
本発明の方法において、得られるポリイソシアネート混合物が前記ａ）〜ｃ）に記載した条件を満たすように、出発成分の種類および量が前記パラメーターの範囲で選択され、ここで、ａ）平均ＮＣＯ官能価が少なくとも２.０、好ましくは２.３〜９.９、より好ましくは２.８〜５.９であり；ｂ）ＮＣＯ含有量が、４.０〜２８.０重量％、好ましくは５.０〜２４.０重量％、より好ましくは８.０〜２１.０重量％；および、ｃ）アルコキシ基の含有量が２.０〜３７.５重量％、好ましくは３.０〜２９.０重量％、より好ましくは４.０〜２０.０重量％であり、それにおいて、アルコキシ基がアロファネート基または必要によりウレタン基の構成成分であり、但し、アルコキシ基の＞５０モル％、好ましくは少なくとも８０モル％、より好ましくは少なくとも９０モル％が、少なくとも２種類のジイソシアネートからそれぞれ製造される少なくとも２種類のポリイソシアネート分子に結合しているアロファネート基の構成成分であることを条件とする。
【００３３】
アルコキシ基の含有量は、下記式［１］によって求められる：
【式１】
0004612155.tif 000002
【００３４】
本発明の製品のＮＣＯ官能価は、下記式［２］によって出発成分の種類および官能価から算出することができる：
【式２】
0004612155.tif 000003
【００３５】
式中、１＞ｘ＞０であり、ｘは、本発明の方法においてアロファネート基に変換されるウレタン基の割合を意味する。出発ポリイソシアネートＡ）の官能価ｆNCOは、ＮＣＯ含有量および分子量から算出することができ、分子量は、ゲル透過クロマトグラフィー（ＧＰＣ）または蒸気圧浸透によって求めることができる。ｆOHは、使用されるアルコール中のＯＨ基の数から求められ、混合物の場合は、混合物の個々のアルコール中のＯＨ基の量および数から求められる。
【００３６】
本発明の方法は、要すれば、イソシアネート基に対して不活性な好適な溶媒中で行うこともできる。溶媒の例は、既知のラッカー溶媒、例えば、酢酸エチル、１−メトキシ−２−プロピルアセテート、３−メトキシ−ｎ−ブチルアセテート、アセトン、２−ブタノン、４−メチル−２−ペンタノン、シクロヘキサノン、トルエン、キシレン、クロロベンゼン、ミネラルスピリット、置換芳香族化合物（例えば、Solvent Naphtha、Solvesso、Shellsol、Isopar、Nappar、およびDiasolの商品名で商業的に入手し得る）、カルボン酸エステル（例えば、ジメチルカ−ボネート、ジエチルカーボネート、１,２−エチレンカーボネート、および１,２−プロピレンカーボネート）、ラクトン（例えば、β−プロピオラクトン、γ−ブチロラクトン、ε−カプロラクトン、およびε−メチルカプロラクトン）、プロピレングリコールジアセテート、ジエチレングリコールジメチルエーテル、ジプロピレングリコールジメチルエーテル、ジエチレングリコールエチルおよびブチルエーテルアセテート、Ｎ−メチルピロリドン、Ｎ−メチルカプロラクタム、およびそれらの混合物である。
【００３７】
本発明の製品は、清澄な実質的に無色のポリイソシアネート混合物であり、これは、出発ポリイソシアネートＡ）と異なり、濁らずに非極性溶媒で稀釈することができる。高度に稀釈される場合でさえ、例えば３０重量％の固形物含有量においても、および低い温度、例えば−５℃〜＋５℃においてさえ、製品は非沈降溶液である。
【００３８】
非極性溶媒は、例えば、Swasol 310（Maruzen Petrochemical Co. Ltd；アニリン点４３.５℃）、Exxon Naphtha No.6（Exxon Chemical Japan；アニリン点４３℃）、Exxon Naphtha No.5（Exxon Chemical Japan；アニリン点５５℃）、および、例えば、ＥＰ−Ａ５６６０３７号（第５頁、第４０行〜第４６行参照）およびＵＳ５０８６１７５号（第４頁、第４３行〜第５５行参照）に開示されている他の溶媒、またはこれらの溶媒の好ましい混合物である。
【００３９】
本発明によって変性されていないポリイソシアネート、特にラッカーポリイソシアネートＡ）を、本発明のポリイソシアネート混合物に任意に添加することができる。その量は、得られるポリイソシアネートが、前記ａ）〜ｃ）に記載の条件を満たし、従って、本発明のポリイソシアネート混合物も含んで成るように選択するのが好ましい。混合物は一般に、
（ｉ）  本発明のアロファネート変性ポリイソシアネート；および
（ｉｉ）  本発明によって変性されていないポリイソシアネート；
を含有する。
【００４０】
本発明のポリイソシアネート混合物は、イソシアネート重付加法によるポリウレタンプラスチックの製造に有用な出発物質である。ポリイソシアネートの反応相手として存在するポリヒドロキシル成分が、既知のポリエーテルポリオール、ポリエステルポリオールおよび／またはポリアクリレートポリオールであるのが好ましい２Ｋ ＰＵ被覆組成物の架橋成分として、それらは非常に適している。ヒドロキシル基以外のイソシアネート反応性基を有するラッカー結合剤またはラッカー結合剤成分も、本発明のポリイソシアネート混合物の反応相手として好適である。
【００４１】
これらの反応相手は、ポリウレタン、あるいは、ウレタンまたは尿素基に存在する活性水素原子によって架橋し得るポリウレタンを包含する。他の好適な反応相手は、例えばＥＰ−Ａ４０３９２１号に開示されている種類の第二級アミン、あるいはポリケトイミン、ポリアルドイミンまたはオキサゾロンのようなブロックトアミノ基を有するポリアミンを包含する。湿分の存在下において、ブロックされていないアミノ基が形成されるか、またはオキサゾロンの場合は、ヒドロキシル基が形成され、次に、本発明のポリイソシアネート混合物と反応する。少量の非官能性ラッカー結合剤を、本発明のポリイソシアネート混合物に添加して、例えば、付着性を向上させる添加剤のような高特性（highly specific properties）を得ることもできる。
【００４２】
本発明のポリイソシアネート混合物に基づく２成分被覆組成物ラッカーにおけるポリイソシアネートおよび／または結合剤成分は一般に、溶媒で稀釈された形態で使用される。好適な溶媒は、本発明の製品の性能に関して前記に記載した溶媒、またはそのような溶媒の好ましい混合物を包含する。しかし、本発明のポリイソシアネート混合物を含有する２Ｋ ＰＵ被覆組成物において、反応相手を、非極性溶媒、より好ましくは環境的にわずかに有害であるにすぎない非極性溶媒、例えば、Swasol 310（Maruzen Petrochemical Co. Ltd.；アニリン点４３.５℃）、Exxon Naphtha No.6（Exxon Chemical Japan；アニリン点４３℃）、Exxon Naphtha No.5（Exxon Chemical Japan；アニリン点５５℃）、および例えばＥＰ−Ａ５６６０３７号（第５頁、第４０行〜第４６行）およびＵＳ５０８６１７５号（第４頁、第４３行〜第５５行）に開示されている他の溶媒、ならびにそのような溶媒の好ましい混合物、における稀釈溶液の形態で使用するのが好ましい。
【００４３】
ポリイソシアネート混合物は、ポリウレタン化学において既知のブロッキング剤でブロックされた形態において、ラッカー結合剤またはラッカー結合剤成分と組み合わせて、１成分ＰＵ焼付系として使用することもできる。好適なブロッキング剤は、マロン酸ジエチルエステル、アセト酢酸エステル、アセトンオキシム、ブタノンオキシム、ε−カプロラクタム、３,５−ジメチルピラゾール、１,２,４−トリアゾール、ジメチル−１,２,４−トリアゾール、イミダゾール、およびそれらの混合物を包含する。
【００４４】
本発明のポリイソシアネート混合物が、ラッカー結合剤の架橋成分として使用される場合に、それらは一般に、０.５：１〜２.０：１、好ましくは０.８：１〜１.２：１、より好ましくは０.９：１〜１.１：１の、（必要によりブロックされている）ＮＣＯ基／イソシアネート反応性基、特にアルコール性ヒドロキシル基の当量比に相当する量で使用される。
【００４５】
本発明のポリイソシアネート混合物を使用して配合される被覆組成物によって、所望のどのような基材でも被覆することができる。基材の例は、金属、木材、ガラス、石、セラミック材料、コンクリート、硬質および軟質プラスチック、繊維製品、革、ならびに紙である。被覆する前に、これらの基材に必要により、既知のプライマーを適用することもできる。
【００４６】
被覆組成物は、触媒、均展剤、着色顔料、増量剤、または艶消剤のような既知の添加剤も含有することができる。得られる塗料は一般に、室温で乾燥させた場合でさえ、良好な工業特性を有する。それらは、高温における強制条件において、または最高２６０℃の温度における焼付によって、乾燥させることもできる。
【００４７】
本発明のポリイソシアネート混合物は、従来の既知の溶媒に基づく２Ｋ ＰＵ系と比較して、環境的に問題のある溶媒の低放出または零放出を示し、および従来の溶媒に溶解された被覆組成物と比較して、顕著に向上した被覆特性（overcoating characteristics）を有する、高品質の耐光堅牢性被覆組成物の配合を可能にする。例えばアロファネートトリマーと比較して、より高い官能価の本発明のポリイソシアネート混合物は、耐溶媒性および耐薬品性のような向上したラッカー特性を付与する。
【００４８】
下記実施例によって本発明をさらに説明するが、それらに限定することを意図するものではない。
【００４９】
【実施例】
「アロファネート化度」という語句は、ＮＣＯ含有量から算出される、モノアルコールおよびポリイソシアネートからアロファネート基に変換されたウレタン基のパーセンテージを意味する。特に指定されない限り、全ての部およびパーセンテージは重量によるものである。
【００５０】
出発ポリイソシアネート
ポリイソシアネートＡ１）
ＥＰ−Ａ７９８２９９号（米国特許第５９１４３８３号）に従って１,６−ジイソシアナトヘキサン（ＨＤＩ）から製造され、２３.２％のＮＣＯ含有量、３.３の平均官能価（ＧＰＣによる）、および０.４％のモノマーＨＤＩ含有量をする、イミノオキサジアジンジオン基を有するポリイソシアネート。
【００５１】
ポリイソシアネートＡ２）
ＥＰ−Ａ００３７６５号（米国特許第４２８８５８６号）に従ってＩＰＤＩから製造され、１１.８％のＮＣＯ含有量、３.３の平均官能価（ＧＰＣによる）、および０.２％のモノマーＩＰＤＩ含有量を有する、Solvent Naphtha溶媒中のイソシアヌレート基を有するポリイソシアネートの７０％溶液。
ポリイソシアネートＡ３）
ＤＥ−Ａ３８０６２７６号に従ってＨＤＩから製造され、２３.６％のＮＣＯ含有量、３.２の平均官能価（ＧＰＣによる）、および０.３％のモノマーＨＤＩ含有量を有する、イソシアヌレート基を有するポリイソシアネート。
【００５２】
比較ポリイソシアネート
比較ポリイソシアネートＶ１）
ＥＰ−Ａ４９６２０８号（米国特許第５１２４４２７号）に従ってＨＤＩから製造され、２０％のＮＣＯ含有量、２.４の平均官能価（ＧＰＣによる）、および０.１％のモノマーＨＤＩ含有量を有する、アロファネート基およびイソシアヌレート基を有するポリイソシアネート。
【００５３】
実施例１
５４０ｇのポリイソシアネートＡ１）および３６０ｇのポリイソシアネートＡ２）を、乾燥窒素下に攪拌しながら、８１.６ｇの工業用脂肪アルコール（Lorol、Henkel AGにから入手可能であり、下記特性を有する：酸価最大０.１；鹸化価最大１.２、ヒドロキシル価２６５〜２７９；含水量最大０.２％；鎖分布：＜Ｃ１２：０〜３％；Ｃ１２：４５〜５８％；Ｃ１４：１８〜２４％；Ｃ１６：８〜１２％；Ｃ１８：１１〜１５％；＞Ｃ１８：０〜１％）と合わし、１５.４％の滴定ＮＣＯ含有量に到達するまで８０℃に加熱した。次に、０.２ｇの亜鉛（ＩＩ）２−エチル−１−ヘキサノエートを添加して、アロファネート化反応を開始させた。温度を１１０℃に上げ、完全なアロファネート化に相当する１３.７％のＮＣＯ含有量に到達するまで、その混合物をこの温度で攪拌した。０.０１ｇの塩化ベンゾイルを添加し、同時にその混合物を冷却することによって、反応を停止させた。
【００５４】
下記特性を有する実質的に無色の清澄なポリイソシアネートを得た：
ＮＣＯ含有量：  １３.７％
ＮＣＯ官能価（式［２］による）：  ３.９３
アロファネート化度：  ｘ＝１
式［１］によるアルコキシ基の含有量：  ８.３％
【００５５】
実施例２
５８２.９ｇのポリイソシアネートＡ１）および５８２.９ｇのポリイソシアネートＡ２）を、乾燥窒素下に攪拌しながら、８１.６ｇの実施例１に記載の工業用脂肪アルコールおよび４.５ｇの１,１２−オクタデカンジオールと合わし、１５.４％の滴定ＮＣＯ含有量に到達するまで８０℃に加熱した。次に、０.２５ｇの亜鉛（ＩＩ）２−エチル−１−ヘキサノエートを添加して、アロファネート化反応を開始させた。温度を１１０℃に上げ、完全なアロファネート化に相当する１４．４％のＮＣＯ含有量に到達するまで、その混合物をこの温度で攪拌した。０.０１ｇの塩化ベンゾイルを添加し、同時にその混合物を冷却することによって、反応を停止させた。
【００５６】
下記特性を有する実質的に無色の清澄なポリイソシアネートを得た：
ＮＣＯ含有量：  １４.４％
ＮＣＯ官能価（式［２］による）：  ３.６８
アロファネート化度：  ｘ＝０.９４
式［１］によるアルコキシ基の含有量：  ５.４％
【００５７】
実施例３
２７０ｇのポリイソシアネートＡ１）および１８０ｇのポリイソシアネートＡ２）を、乾燥窒素下に攪拌しながら、４０.８ｇの実施例１に記載の工業用脂肪アルコールと合わし、１５.４％の滴定ＮＣＯ含有量に到達するまで８０℃に加熱した。次に、０.１ｇのビスマス（ＩＩＩ）２−エチル−１−ヘキサノエートを添加して、アロファネート化反応を開始させた。温度を１１０℃に上げ、１３．８％の滴定ＮＣＯ含有量に到達するまで、その混合物をこの温度で攪拌した。０.０１ｇの塩化ベンゾイルを添加し、同時にその混合物を冷却することによって、反応を停止させた。
【００５８】
下記特性を有する実質的に無色の清澄なポリイソシアネートを得た：
ＮＣＯ含有量：  １３.８％
ＮＣＯ官能価（式［２］による）：  ３.８９
アロファネート化度：  ｘ＝０.９７
式［１］によるアルコキシ基の含有量：  ８.３％
【００５９】
実施例４
初めに、６６６ｇのポリイソシアネートＡ２）を、乾燥窒素下に攪拌しながら、９０℃において導入し、６２ｇの実施例１に記載の工業用脂肪アルコールを、９.１％の滴定ＮＣＯ含有量に到達するまで滴下した。次に、４４４ｇのポリイソシアネートＡ３）および０.２４ｇの亜鉛（ＩＩ）２−エチル−１−ヘキサノエートを添加して、アロファネート化反応を開始させた。温度を１１０℃に上げ、完全なアロファネート化に相当する１３．５％のＮＣＯ含有量に到達するまで、その混合物をこの温度で攪拌した。０.０１ｇの塩化ベンゾイルを添加し、同時にその混合物を冷却することによって、反応を停止させた。
【００６０】
下記特性を有する実質的に無色の清澄なポリイソシアネートを得た：
ＮＣＯ含有量：  １３.５％
ＮＣＯ官能価（式［２］による）：  ３.６０
アロファネート化度：  ｘ＝１
式［１］によるアルコキシ基の含有量：  ５.３％
【００６１】
実施例５
初めに、６６６ｇのポリイソシアネートＡ２）および４４４ｇのポリイソシアネートＡ３）を、乾燥窒素下に攪拌しながら、８０℃において導入し、６２ｇの実施例１に記載の工業用脂肪アルコールを、１４.６％の滴定ＮＣＯ含有量に到達するまで滴下した。次に、０.２４ｇの亜鉛（ＩＩ）２−エチル−１−ヘキサノエートを添加して、アロファネート化反応を開始させた。温度を１１０℃に上げ、１３．５％の滴定ＮＣＯ含有量に到達するまで、その混合物をこの温度で攪拌した。０.０１ｇの塩化ベンゾイルを添加し、同時にその混合物を冷却することによって、反応を停止させた。
【００６２】
下記特性を有する実質的に無色の清澄なポリイソシアネートを得た：
ＮＣＯ含有量：  １３.５％
ＮＣＯ官能価（式［２］による）：  ３.５９
アロファネート化度：  ｘ＝０.９９
式［１］によるアルコキシ基の含有量：  ５.３％
【００６３】
実施例６
初めに、６６６ｇのポリイソシアネートＡ２）および４４４ｇのポリイソシアネートＡ３）を、乾燥窒素下に攪拌しながら、８０℃において導入し、６２ｇの実施例１に記載の工業用脂肪アルコールを、１４.６％の滴定ＮＣＯ含有量に到達するまで滴下した。次に、０.２９ｇの亜鉛（ＩＩ）２−エチル−１−ヘキサノエートを添加して、アロファネート化反応を開始させた。温度を１１０℃に上げ、１３．６％の滴定ＮＣＯ含有量に到達するまで、その混合物をこの温度で攪拌した。反応を冷却によって停止させた。
【００６４】
下記特性を有する実質的に無色の清澄なポリイソシアネートを得た：
ＮＣＯ含有量：  １３.６％
ＮＣＯ官能価（式［２］による）：  ３.５５
アロファネート化度：  ｘ＝０.９３
式［１］によるアルコキシ基の含有量：  ５.３％
【００６５】
実施例７（溶解安定性）
非極性溶媒（Swasol 310、Maruzen Petrochemical Co. Ltd.から入手可能、アニリン点４３.５℃）中の、実施例１〜６の各ポリイソシアネート混合物の３０％溶液を製造した。溶液を製造する際に、ポリイソシアネートＡ２）に存在する溶媒の量を考慮した。次に、０℃における溶液の溶解安定性を１４日間にわたって観察した。未変性出発ポリイソシアネートＡ１）、Ａ２）、およびＡ３）を比較として使用した。
【００６６】
【表１】
製造した溶液の貯蔵安定性試験
0004612155.tif 000004
【００６７】
本発明のアロファネート変性ポリイソシアネート混合物、およびアロファネートトリマーＶ１）が、未変性出発ポリイソシアネートＡ１）、Ａ２）、およびＡ３）と比較して、非極性溶媒に顕著によく溶解することを、比較が示している。
【００６８】
実施例８  使用
６３重量部のポリアクリレートポリオール（開始剤としての２.５０％のジ−ｔ−ブチルペルオキシドの存在下において、４４.６２％スチレン、２７.８９％ブチルアクリレート、２２.５７％ヒドロキシプロピルメタクリレート、１.８２％メチルメタクリレート、および０.６０％アクリル酸の重合によって製造され、５３ｍｇＫＯＨ／ｇ固形物のＯＨ価を有する）、０.６重量部の均展剤（Baysilone lacquer additive OL 17、Bayerから入手可能、キシレン中１０％）、１.１重量部の促進剤（亜鉛２−エチルヘキサノエート、キシレン中１０％）、および３５.３重量部の非極性溶媒（Swasol 310、Maruzen Petrochemical Co. Ltd、アニリン点４３.５℃）を含有するストックラッカー（stock lacquer）、ならびに実施例１〜６の各ポリイソシアネート混合物の前記非極性溶媒中の７５％溶液から、清澄な塗料組成物を製造した。ポリイソシアネート成分およびストックラッカーを、各場合において、１：１のＮＣＯ／ＯＨ当量比で使用した。
【００６９】
清澄塗料組成物を、塗布枠（application frame）を使用して、ガラス板にナイフ塗布した。短時間でフラッシュさせた後、フィルムを乾燥室で１２０℃において３０分間で乾燥させ、次に６０℃で１６時間にわたって保存した。
【００７０】
得られる被膜の抵抗性を、種々の溶媒を使用して検査した。溶媒に浸した綿棒を硬化した被膜に適用し、その領域を時計皿で覆った。所定時間（暴露時間）後、時計皿および綿棒を除去し、残留する溶媒残渣を、ティッシュペーパーで吸い取ることによって注意深く除去した。被膜のその領域を目視検査した。
【００７１】
【表２】
0004612155.tif 000005
【００７２】
フィルム硬度を、Koenig振子減衰値（pendulum damping value）（DIN 53 157）によって求めた。
【００７３】
比較のために、同様の方法によって、比較ポリイソシアネートＶ１）からも塗料を造した。出発イソシアネートは前記溶媒に溶解しない故に、同様の方法によって、出発イソシアネートＡ１）、Ａ２）、またはＡ３）から塗料を製造することができなかった。
【００７４】
【表３】
被覆性質
0004612155.tif 000006
【００７５】
*）    Maruzen Petrochemicals Co. Ltd.
**）   Exxon Chemical Japan
***）  Exxon Chemical Japan
【００７６】
等級付けの規準：
０    処理後にフィルムに変化がなかった。
１    フィルムに永久的に印が付いた（リング）。
２    引っ掻くことによってフィルムに印を付けることができる。
３    フィルムを掻き取ることができる。
４    フィルムが完全に破壊された。
【００７７】
先行技術のアロファネートトリマーＶ１）を含有する被覆組成物から作られるフィルムは、中程度の抵抗特性を示すにすぎないが、本発明のポリイソシアネートを含有する被覆組成物から作られるフィルムは、良好な耐溶媒性を示すことが、比較によって明らかである。
【００７８】
本発明を例示のために前記に詳細に説明したが、そのような説明は、例示を目的とするにすぎず、請求の範囲によって限定される以外は、本発明の意図および範囲を逸脱せず当業者によって変更を加え得ると理解すべきものとする。
【００７９】
本発明の好ましい態様は次のとおりである。
Ａ．  ａ）  ２.３〜９.９の平均イソシアネート官能価、
ｂ）  ５.０〜２４.０重量％のイソシアネート基の含有量（ＮＣＯ；分子量＝４２として算出）、および
ｃ）  ３.０〜２９.０重量％の、最高３６個の炭素原子を有するアルコキシ基の含有量、
を有する；
請求項１に記載のポリイソシアネート混合物。
【００８０】
Ｂ．  該ポリイソシアネート分子が、イソシアヌレートおよび／またはイミノオキサジアジンジオン基を有する、前記Ａ項に記載のポリイソシアネート混合物。
Ｃ．  ポリイソシアネート成分Ａ）が、２.３〜４.５の平均ＮＣＯ官能価、１４.０〜２４.０重量％の脂肪族性および／または脂環式性結合イソシアネート基の含有量（ＮＣＯ；分子量＝４２として算出）、および０.５重量％未満のモノマージイソシアネートの含有量を有する、請求項５に記載の方法。
【００８１】
Ｄ．  ポリイソシアネート成分Ａ）が、１,６−ジイソシアナトヘキサンおよび／または１−イソシアナト−３,３,５−トリメチル−５−イソシアナトメチルシクロヘキサンから製造され、イソシアヌレートおよび／またはイミノオキサジアジンジオン基を有する、ポリイソシアネートを含んで成る、請求項５に記載の方法。
【００８２】
Ｅ．  ポリイソシアネート成分Ａ）が、１,６−ジイソシアナトヘキサンおよび／または１−イソシアナト−３,３,５−トリメチル−５−イソシアナトメチルシクロヘキサンから製造され、イソシアヌレートおよび／またはイミノオキサジアジンジオン基を有する、ポリイソシアネートを含んで成る、請求項５に記載の方法。
【００８３】
Ｆ．  有機亜鉛（ＩＩ）またはビスマス（ＩＩＩ）化合物に基づくアロファネート化触媒の存在下において、反応を行うことを含んで成る、請求項５に記載の方法。
Ｇ．  成分Ｂ）が、一官能価および二官能価アルコールの混合物を含んで成る、請求項５に記載の方法。